(57)【要約】【課題】    鋏半体と鋏半体とが螺子によって結合されてなる鋏において、前記螺子の頭にブランド表示を可能とする技術を提供することである。【解決手段】    オス螺子とメス螺子とを具備する螺子であって、  前記オス螺子は、    溝が形成された頭部と、    該頭部に繋がる軸部    とを有し、該軸部の外周側面にオス螺子部が形成されたものであり、  前記メス螺子は、    頭部と、    該頭部に繋がる外周面に角部が形成された軸部    とを有し、該軸部の先端側から軸芯方向に沿って形成された穴の内周側面に前記オス螺子部が螺合するメス螺子部が形成されたものである。【選択図】  図３
2008106835.tif 000002
【特許請求の範囲】
【請求項１】
オス螺子とメス螺子とを具備する螺子であって、
前記オス螺子は、
溝が形成された頭部と、
該頭部に繋がる軸部
とを有し、該軸部の外周側面にオス螺子部が形成されたものであり、
前記メス螺子は、
頭部と、
該頭部に繋がる外周面に角部が形成された軸部
とを有し、該軸部の先端側から軸芯方向に沿って形成された穴の内周側面に前記オス螺子部が螺合するメス螺子部が形成されたものである
ことを特徴とする螺子。
【請求項２】
メス螺子は、
頭部と、
螺子穴が形成された角柱状軸部
とを有することを特徴とする請求項１の螺子。
【請求項３】
オス螺子とメス螺子とを具備する螺子であって、
前記オス螺子は、
頭部と、
該頭部に繋がる外周面に角部が形成された軸部
とを有し、該軸部の先端側の外周側面にオス螺子部が形成されたものであり、
前記メス螺子は、
溝が形成された頭部と、
該頭部に繋がる軸部
とを有し、該軸部の先端側から軸芯方向に沿って形成された穴の内周側面に前記オス螺子部が螺合するメス螺子部が形成されたものである
ことを特徴とする螺子。
【請求項４】
メス螺子は、
溝が形成された頭部と、
螺子穴が形成された円柱状軸部とを有する
ことを特徴とする請求項３の螺子。
【請求項５】
オス螺子は、
頭部と、
該頭部に繋がる角柱状軸部と、
該角柱状軸部に繋がる円柱状軸部
とを有し、該円柱状軸部の外周側面にオス螺子部が形成されたものである
ことを特徴とする請求項３の螺子。
【請求項６】
オス螺子部および／またはメス螺子部には割溝が形成されてなることを特徴とする請求項１〜請求項５いずれかの螺子。
【請求項７】
螺子挿通孔が形成された第１の鋏半体と、螺子挿通孔が形成された第２の鋏半体と、前記第１の鋏半体の螺子挿通孔および前記第２の鋏半体の螺子挿通孔に挿通される螺子とを具備してなる鋏であって、
前記螺子は請求項１〜請求項６いずれかの螺子であり、
前記第１の鋏半体および第２の鋏半体の少なくとも一方の鋏半体の螺子挿通孔は、前記螺子の角部が掛止する掛止部が構成されてなる
ことを特徴とする鋏。
【請求項８】
第２の鋏半体が静刃体であり、
前記第２の鋏半体に対して溝が形成されていない頭部を持つ螺子が配設されると共に、第１の鋏半体に対して溝が形成されている頭部を持つ螺子が配設されてなる
ことを特徴とする請求項７の鋏。
【請求項９】
螺子の頭部が螺子挿通孔内に位置させられてなることを特徴とする請求項７又は請求項８の鋏。
【発明の詳細な説明】
【技術分野】
【０００１】
本発明は、例えば美・理容用の鋏に関する。
【背景技術】
【０００２】
従来より、各種の鋏が提案されている。例えば、図５及び図６に示される如きの構造の鋏が提案されている。図５，６中、Ｂは鋏、５１ａは第１の鋏半体（動刃体：リングに親指が入れられる側の鋏半体）、５１ｂは第２の鋏半体（静刃体：リングに親指以外の指が入れられる側の鋏半体）、５２ａは第１の鋏半体５１ａと第２の鋏半体５１ｂとを連結するオス螺子、５２ｂはオス螺子５２ａに螺合するメス螺子、５３はバネである。バネ５３は、第２の鋏半体５１ｂとメス螺子５２ｂとの間に配設されている。そして、メス螺子５２ｂのオス螺子５２ａに対する螺着度（圧着度：回転具合）を調整することにより、メス螺子５２ｂのバネ５３に対する圧着度が調整される。従って、第１の鋏半体５１ａと第２の鋏半体５１ｂとの圧着度が調整され、鋏Ｂの動作性が調整される。
【特許文献１】特開２００５−１６８６２５
【発明の開示】
【発明が解決しようとする課題】
【０００３】
さて、これまでの鋏Ｂにあっては、静刃体（第２の鋏半体）５１ｂの表面側にメス螺子５２ｂが設けられている。その理由は、動刃体（第１の鋏半体）５１ａの表面側にメス螺子５２ｂを設けていると、メス螺子５２ｂは鋏表面から突出していることから、鋏Ｂを用いて髪の毛をカットする場合において、鋏Ｂの裏側に突出しているメス螺子５２ｂに髪の毛が絡まる恐れが有るからである。
【０００４】
従って、これまで、メス螺子５２ｂは、必ず、静刃体（第２の鋏半体）５１ｂの表面側に設けられている。
【０００５】
さて、メス螺子５２ｂの中央部には、オス螺子５２ａのオス螺子部が螺合するメス螺子部（螺子孔）が形成されている。従って、メス螺子５２ｂの表面に、例えば文字や記号或いは図形などのブランドを刻印しようとしても、それは、綺麗に表示できない。すなわち、ブランド価値を傷付けるような表示しか出来ない。よって、メス螺子５２ｂの表面にブランドを表示することは行われていない。
【０００６】
尚、鋏Ｂの使用に際しては、カット技術者が目にするのは、静刃体（第２の鋏半体）５１ｂの表面側であって、動刃体（第１の鋏半体）５１ａの表面側では無いから、動刃体（第１の鋏半体）５１ａの表面側にブランドを刻印していても、それは意味が小さい。従って、ブランド表示は、静刃体（第２の鋏半体）５１ｂの表面側であるのが通常である。
【０００７】
さて、鋏へのブランド表示は一般的には刻印によることが多い。
【０００８】
ところで、この刻印によるブランド表示が失敗した場合には、その鋏の半体は不良品となって、販売に供されることは無い。従って、無駄になってしまう。又、使用に際して、表示されているブランドが傷付いた場合、これ、また、ブランド価値を損傷することになる。しかしながら、表示ブランドが傷付いたからと言って、鋏を取り替えるのではコストが高く付いてしまう。
【０００９】
さて、このような状況下において、螺子の頭、即ち、静刃体の表面側から取り付けられた螺子の頭にブランド表示が出来るようになれば、表示ブランドが傷付いた場合でも、その交換に要するコストは低廉なものになる。
【００１０】
そこで、掛かる観点からの検討を鋭意推し進めて行く中に、静刃体の表面側から取り付けた螺子の頭が平らであるようにしておけば、この平らな箇所にブランドを刻印表示できることを考えるに至った。
【００１１】
従って、本発明が解決しようとする課題は、例えばブランド表示が可能なようになる螺子を提供することである。特に、鋏半体と鋏半体とが螺子によって結合されてなる鋏において、前記螺子の頭にブランド表示を可能とする技術を提供することである。
【課題を解決するための手段】
【００１２】
前記の課題は、オス螺子とメス螺子とを具備する螺子であって、
前記オス螺子は、
溝が形成された頭部と、
該頭部に繋がる軸部
とを有し、該軸部の外周側面にオス螺子部が形成されたものであり、
前記メス螺子は、
頭部と、
該頭部に繋がる外周面に角部が形成された軸部
とを有し、該軸部の先端側から軸芯方向に沿って形成された穴の内周側面に前記オス螺子部が螺合するメス螺子部が形成されたものである
ことを特徴とする螺子によって解決される。
【００１３】
特に、オス螺子とメス螺子とを具備する螺子であって、
前記オス螺子は、
溝が形成された頭部と、
該頭部に繋がる軸部
とを有し、該軸部の外周側面にオス螺子部が形成されたものであり、
前記メス螺子は、
頭部と、
前記オス螺子部が螺合する螺子穴が形成された該頭部に繋がる角柱状軸部
とを有する
ことを特徴とする螺子によって解決される。
【００１４】
又、前記の課題は、オス螺子とメス螺子とを具備する螺子であって、
前記オス螺子は、
頭部と、
該頭部に繋がる外周面に角部が形成された軸部
とを有し、該軸部の先端側の外周側面にオス螺子部が形成されたものであり、
前記メス螺子は、
溝が形成された頭部と、
該頭部に繋がる軸部
とを有し、該軸部の先端側から軸芯方向に沿って形成された穴の内周側面に前記オス螺子部が螺合するメス螺子部が形成されたものである
ことを特徴とする螺子によって解決される。尚、この螺子において、特に、メス螺子は、溝が形成された頭部と、螺子穴が形成された円柱状軸部とを有するものである。又、オス螺子は、特に、頭部と、該頭部に繋がる角柱状軸部と、該角柱状軸部に繋がる円柱状軸部とを有し、該円柱状軸部の外周側面にオス螺子部が形成されたものである。
【００１５】
そして、上記構造の螺子において、オス螺子部および／またはメス螺子部には、特に、割溝が形成されている。
【００１６】
又、前記の課題は、螺子挿通孔が形成された第１の鋏半体と、螺子挿通孔が形成された第２の鋏半体と、前記第１の鋏半体の螺子挿通孔および前記第２の鋏半体の螺子挿通孔に挿通される螺子とを具備してなる鋏であって、
前記螺子は上記の螺子であり、
前記第１の鋏半体および第２の鋏半体の少なくとも一方の鋏半体の螺子挿通孔は、前記螺子の角部が掛止する掛止部が構成されてなる
ことを特徴とする鋏によって解決される。
【００１７】
尚、上記の鋏において、第２の鋏半体は静刃体であり、この第２の鋏半体に対して溝が形成されていない頭部を持つ螺子が配設されると共に、第１の鋏半体に対して溝が形成されている頭部を持つ螺子が配設されてなるものが、特に、好ましい。そして、螺子の頭部が螺子挿通孔内に位置させられてなることが好ましい。
【発明の効果】
【００１８】
これまで、例えば鋏本体の表面に刻印などでブランド名が表示されていた。しかしながら、本体に表示されたブランド名が毀損した場合、本体の交換にはコストが掛かり過ぎる。
【００１９】
これに対して、本発明の螺子が用いられた場合、一方の螺子の頭部が平らであるから、その平坦面部にブランド名などを表示できる。そして、螺子の頭部に表示されたブランド名が毀損した場合、螺子部品を交換するのみで済むから、経済的である。
【００２０】
螺子の頭部にブランド名が表示されている場合、螺子が回動中心に位置しているから、非常に好都合なものである。特に、ブランド表示されている螺子部品が静刃体に対して取り付けられている場合、ブランド名は常に静止状態に在り、非常に、好都合である。
【００２１】
更に、本発明の螺子が用いられた場合、螺子の頭部を鋏に形成された螺子挿通孔内に位置させても差し支えが無く、問題が少ないものである。
【００２２】
又、螺子の回動には、例えば普通のドライバーが有れば十分で、格別な器具を必要としない。
【発明を実施するための最良の形態】
【００２３】
図１〜図３は本発明の第１実施形態を示すもので、図１は本発明になる鋏の斜視図、図２は鋏の断面図、図３は図１，２の鋏に用いられた螺子の分解状態における斜視図である。
【００２４】
各図中、Ａは鋏である。１ａは鋏Ａの半体（動刃体：リングに親指が入れられる側の鋏半体）、１ｂは鋏Ａの半体（静刃体：リングに親指以外の指が入れられる側の鋏半体）である。そして、動刃体１ａと静刃体１ｂとは、周知な通り、螺子２によって連結されている。
【００２５】
螺子２は、図２にも示される通り、オス螺子３とメス螺子４とからなる。
【００２６】
オス螺子３は、頭部３ａと、この頭部３ａに対して設けられた円柱状の軸部３ｂとを有するものである。尚、表面が平坦な頭部３ａには、−状の溝３ｃが形成されている。円柱状の軸部３ｂの周側面には螺子溝が形成されていて、オス螺子部３ｄが形成されている。３ｅは、軸部３ｂに形成された割溝である。
【００２７】
メス螺子４は、円形状の頭部４ａと、この頭部４ａに対して設けられた角柱状（四角柱状）の軸部４ｂとを有するものである。尚、表面が平坦な頭部４ａには、オス螺子３の場合と異なり、−状の溝は形成されていない。すなわち、頭部４ａは、一様な平坦面である。そして、この頭部４ａの平坦な表面には、例えばブランド名が刻印されるようになっている。角柱状の軸部４ｂには、その先端部側から軸芯方向に沿って穴が形成されており、この穴の内周側面にはオス螺子部３ｄに螺合するメス螺子部４ｄが形成されている。
【００２８】
動刃体１ａにはオス螺子３の挿入孔５が形成されている。螺子挿入孔５の内形は、オス螺子３の外形より僅かだけ大き目で、その断面が円形である。勿論、螺子挿入孔５は、断面が円形でなければならないと言うことは無い。要するに、軸部３ｂを螺子挿入孔５内に挿入できると共に、頭部３ａを螺子挿入孔５内に位置させることが出来、そしてオス螺子３を回動させることが出来る形状のものであれば良い。
【００２９】
静刃体１ｂにはメス螺子４の挿入孔６が形成されている。この螺子挿入孔６は、その断面が円形の箇所６ａと角形（四角形）の箇所６ｂとを持つ。すなわち、軸部４ｂを螺子挿入孔６の角形（四角形）箇所６ｂに挿入できると共に、頭部４ａを螺子挿入孔６の円形箇所６ａに位置させることが出来る形状である。尚、円形箇所６ａにおける大きさは頭部４ａの大きさより大きければ十分であるが、角形（四角形）箇所６ｂの大きさは軸部４ｂの大きさと殆ど変わりない程度の大きさである。すなわち、これ等の角部同士の掛止によって、メス螺子４と静刃体１ｂとの間では空回りが起きないようになっている。
【００３０】
上記のように構成させた鋏Ａは、図１及び図２から判る通り、螺子２（オス螺子３やメス螺子４）の頭部３ａ，４ａが鋏の表面から突出していない。突出したとしても、その突出高さを低く出来る。従って、本発明の鋏Ａをケース袋に収納するに際して、邪魔になる出っ張りが無いから、非常に、スムーズに出し入れが行える。又、髪の毛が絡まるような心配も無い。
【００３１】
螺子２を緩めたり、又、締めたりする作業は、鋏Ａの裏側を表に引っ繰り返し、例えばドライバーをオス螺子３の頭部３ａの−状溝３ｃに差し込み、そしてドライバーを回すことによって行われる。
【００３２】
鋏Ａの使用に際しては、カット技術者は、常に、静刃体１ｂの表面側を目にしている。すなわち、ブランド名が刻印されている頭部４ａの表面を目にしている。特に、ブランド名は、常に、静止状態に在るメス螺子４の頭部４ａに表示されているから、目に付き易く、ブランド訴求効果が高い。そして、刻印されているブラン名が毀損した場合、メス螺子４のみを交換するのみで済むから、非常に経済的である。
【００３３】
又、本実施形態の螺子は、これまでに市販の鋏に対しても用いることが出来る。
【００３４】
尚、上記実施形態の鋏においては、動刃体１ａと静刃体１ｂとの圧着度合を調整する板バネや、ワッシャー等が設けられているが、省略されている。
【００３５】
図４は、本発明の第２実施形態になる鋏に用いられる螺子の分解状態における斜視図である。
【００３６】
本実施形態の螺子２２は、オス螺子２３とメス螺子２４とからなる。
【００３７】
オス螺子２３は、表面が平坦で溝は形成されていない頭部２３ａと、頭部２３ａから設けられた角柱状軸部（四角柱状軸部）２３ｂと、角柱状軸部２３ｂより径が小さな径の円柱状軸部２３ｃとを有する。そして、円柱状軸部２３ｃの外周側面にオス螺子部２３ｄが形成されたものである。尚、２３ｅは円柱状軸部２３ｃに設けられた割溝である。
【００３８】
メス螺子２４は、頭部２４ａと、この頭部２４ａから設けられた円柱状の軸部２４ｂとを有するものである。尚、頭部２４ａには、−状の溝２４ｃが形成されている。円柱状の軸部２４ｂには、その先端部側から軸芯方向に沿って穴が形成されており、この穴の内周側面にはオス螺子部２３ｄに螺合するメス螺子部２４ｄが形成されている。
【００３９】
従って、−状溝は、前記実施形態の螺子２にあっては、オス螺子３の頭部３ａに形成されていたのに対して、本実施形態の螺子２２にあっては、メス螺子２４の頭部２４ａに形成されている点、又、角柱状軸部は、前記実施形態の螺子２にあっては、メス螺子４に形成されていたのに対して、本実施形態の螺子２２にあっては、オス螺子２３に形成されている点が相違し、その他の基本的な構成は略同一である。
【００４０】
尚、本実施形態の螺子２２が鋏に用いられる場合、静刃体の側からオス螺子２３が取り付けられ、動刃体の側からメス螺子２４が取り付けられる。従って、静刃体に形成される螺子挿通孔はオス螺子２３の外形に相当する内形であり、動刃体に形成される螺子挿通孔はメス螺子２４の外形に相当する内形である。そして、メス螺子２４の−状溝２４ｃにドライバーを差し込んで、メス螺子２４を回動させることによって、メス螺子２４とオス螺子２３との螺合が緩められたり、締め付けられたりするようになっている。
【図面の簡単な説明】
【００４１】
【図１】本発明になる鋏の斜視図
【図２】本発明になる鋏の要部の断面図
【図３】本発明になる螺子の分解斜視図
【図４】本発明になる他の実施形態の螺子の分解斜視図
【図５】従来の鋏の斜視図
【図６】従来の鋏の断面図
【符号の説明】
【００４２】
Ａ          鋏
１ａ        第１の鋏半体（動刃体）
１ｂ        第２の鋏半体（静刃体）
２          螺子
３          オス螺子
３ａ        頭部
３ｂ        円柱状軸部
３ｃ        −状溝
３ｄ        オス螺子部
４          メス螺子
４ａ        頭部
４ｂ        角柱状軸部
４ｄ        メス螺子部
５，６      螺子挿入孔
２２        螺子
２３        オス螺子
２３ａ      頭部
２３ｂ      角柱状軸部
２３ｃ      円柱状軸部
２３ｄ      オス螺子部
２４        メス螺子
２４ａ      頭部
２４ｂ      円柱状軸部
２４ｃ      −状溝
２４ｄ      メス螺子部
代  理  人  宇  高  克  己
【図１】
2008106835.tif 000003
【図２】
2008106835.tif 000004
【図３】
2008106835.tif 000005
【図４】
2008106835.tif 000006
【図５】
2008106835.tif 000007
【図６】
2008106835.tif 000008